(57)【要約】【課題】  まつ毛にダメージを与えることなく、まつ毛に塗布されたマスカラを細部まで十分に除去することが可能なマスカラ除去具を提供すること。【解決手段】  この考案のマスカラ除去具は、持ち手１の一端側に、持ち手１よりも柔軟な素材からなるブラシ部２を設けたものとしており、ブラシ部２でまつ毛をとかすようにして使用することにより、まつ毛に付着したマスカラを除去することができるため、従来のコットンや綿棒に比べて、まつ毛にダメージを与えることなく、まつ毛に塗布されたマスカラを細部まで十分に除去することが可能である。【選択図】  図１
0003114890.tif 000002
【実用新案登録請求の範囲】
【請求項１】
持ち手（１）の一端側に、持ち手（１）よりも柔軟な素材からなるブラシ部（２）を設けたことを特徴とするマスカラ除去具。
【請求項２】
ブラシ部（２）が、座台部（４）と座台部（４）上の複数の突起（５）からなり、シリコンエラストマーの一体成形により成形されたものである請求項１記載のマスカラ除去具。
【請求項３】
ブラシ部（２）が、先端に向かって幅及び厚みが小さくなった形状としている請求項１又は２記載のマスカラ除去具。
【請求項４】
ブラシ部（２）の他端側から内部に穴（６）を形成し、この穴（６）に持ち手（１）の一端側を挿入することにより、ブラシ部（２）が持ち手（１）に着脱自在に取り付けられるようになっている請求項１、２又は３記載のマスカラ除去具。
【請求項５】
ブラシ部（２）に形成した穴（６）の形状と、この穴（６）に挿入される持ち手（１）の一端側の挿入部（３）の形状が略同一であり、かつ、前記穴（６）の他端側の開口部の幅が、内部における穴（６）の最大幅より小さいものとしている請求項４記載のマスカラ除去具。
【請求項６】
ブラシ部（２）の突起（５）を設けた反対側の面に、マッサージ用突起（８）を形成した請求項１、２、３、４又は５記載のマスカラ除去具。
【請求項７】
ブラシ部（２）を、円柱状の座台部（４）の周面に多数の突起（５）を設けたロール状のものとした請求項１、２、４又は５記載のマスカラ除去具。
【考案の詳細な説明】
【技術分野】
【０００１】
この考案は、まつ毛についたマスカラを除去するためのマスカラ除去具に関するものである。
【背景技術】
【０００２】
従来、まつ毛に塗布されたマスカラを除去するには、クレンジング剤を使用して洗い落とすようにしていた。しかし、クレンジング剤だけでは十分にマスカラを除去することができず、まつ毛や目のまわりに汚れを残しやすい。特にまつ毛を長く見せるための繊維が含まれたマスカラやウォータープルーフタイプのマスカラを十分に除去することは極めて困難であった。
【０００３】
そのため、クレンジング剤を含ませたコットンを使用してマスカラを除去することがあるが、コットンでまつ毛をはさんで引っ張ったりすることになるため、まつ毛が抜けしまうなどまつ毛にダメージを与えてしまうことが多い。また、綿棒を使用する場合もあるが、綿棒の先端部分はまつ毛の間隔より太いため、まつ毛の間に綿棒を入れてマスカラを除去するようなことはできず、まつ毛に塗布されたマスカラを細部まで十分に除去することは困難であった。
【考案の開示】
【考案が解決しようとする課題】
【０００４】
そこで、この考案は、まつ毛にダメージを与えることなく、まつ毛に塗布されたマスカラを細部まで十分に除去することが可能なマスカラ除去具を提供することを課題とする。
【課題を解決するための手段】
【０００５】
前記課題を解決するため、この考案は次のような技術的手段を講じている。
【０００６】
この考案のマスカラ除去具は、持ち手１の一端側に、持ち手１よりも柔軟な素材からなるブラシ部２を設けたものとしている。
【０００７】
ブラシ部２は、座台部４と座台部４上の複数の突起５からなり、シリコンエラストマーの一体成形により成形されたものとすることができる。
【０００８】
ブラシ部２は、先端に向かって幅及び厚みが小さくなった形状とすることもできる。
【０００９】
ブラシ部２の他端側から内部に穴６を形成し、この穴６に持ち手１の一端側を挿入することにより、ブラシ部２が持ち手１に着脱自在に取り付けられるようになっているものとすることができる。
【００１０】
さらに、ブラシ部２に形成した穴６の形状と、この穴６に挿入される持ち手１の一端側の挿入部３の形状が略同一であり、かつ、前記穴６の他端側の開口部の幅が、内部における穴６の最大幅より小さいものとすることもできる。
【００１１】
また、ブラシ部２の突起５を設けた反対側の面にマッサージ用突起８を形成したり、ブラシ部２を円柱状の座台部４の周面に多数の突起５を設けたロール状のものとしたりすることができる。
【考案の効果】
【００１２】
この考案のマスカラ除去具は、持ち手１の一端側に、持ち手１よりも柔軟な素材からなるブラシ部２を設けたものとしており、ブラシ部２でまつ毛をとかすようにして使用することにより、まつ毛に付着したマスカラを除去することができるため、従来のコットンや綿棒に比べて、まつ毛にダメージを与えることなく、まつ毛に塗布されたマスカラを細部まで十分に除去することが可能である。
【００１３】
ブラシ部２が、座台部４と座台部４上の複数の突起５からなり、シリコンエラストマーの一体成形により成形されたものとすれば、ブラシ部２は柔軟性とともに弾力性を有するものとなり、肌触りがソフトで、極めて使用感の優れたものとすることができる。
【００１４】
ブラシ部２が、先端に向かって幅及び厚みが小さくなった形状としたものとすれば、ブラシ部２で目尻にたまったアイライナーの色素などを拭うことができる。
【００１５】
ブラシ部２が、持ち手１に着脱自在に取り付けられているものとすれば、ブラシ部２を交換することが可能で、古くなったものを新しいものに取り替えたり、硬度や突起５の長さ、形状等が異なるものに取り替えたりして使用することもできる。
【００１６】
ブラシ部２を持ち手１に着脱自在にするには、ブラシ部２の他端側から内部に穴６を形成し、この穴６に持ち手１の一端側を挿入するようにした構成とすればよく、さらに、この構成において、ブラシ部２に形成した穴６の形状と、この穴６に挿入される持ち手１の一端側の挿入部３の形状が略同一であり、かつ、前記穴６の他端側の開口部の幅が、内部における穴６の最大幅より小さいものとすれば、前記穴６に持ち手１の挿入部３が嵌合してブラシ部２が持ち手１にしっかりと保持されるとともに、持ち手１の挿入部３が前記穴６から簡単に抜けないようになり、ブラシ部２の紛失が防止される。
【００１７】
また、ブラシ部２の突起５を設けた反対側の面に、マッサージ用突起８を形成すれば、こめかみ等顔面をマッサージする際に利用することができ、ブラシ部２を円柱状の座台部４の周面に多数の突起５を設けたロール状のものとすれば、もち手１を回転させると、突起５が回転しながら次々にまつ毛と接触するので、効率よくマスカラを除去することが可能になる。
【考案を実施するための最良の形態】
【００１８】
以下、この考案の実施の好適な形態を、図面を参照して説明する。
【００１９】
図１はこの考案の実施形態のマスカラ除去具の斜視図、図２は右側面図、図３は底面図、図４はブラシ部２を取り外した状態の斜視図、図５、図６は使用状態の説明図である。
【００２０】
このマスカラ除去具は、持ち手１の一端側に、持ち手１よりも柔軟なブラシ部２を設けたものである。もち手１は、比較的硬質な合成樹脂製で、長さ１０ｃｍ程度、断面形状が略楕円形の棒状としている。もち手１の一端部には、扁平な縦長の略楕円形状の挿入部３が形成されている。挿入部３には、縁部ないしその付近の表裏両面にリブが形成されている。
【００２１】
ブラシ部２は、座台部４と座台部４上の複数の突起５からなるもので、硬度が３０度程度のシリコンエラストマーの一体成形により成形されたものとしている。なお、ブラシ部２は、ポリエチレン、ポリプロピレン、スチレンゴム、ニトリルゴム、アクリルゴム、エチレン酢ビゴム等の軟質な合成樹脂により成形されたものとしてもよい。
【００２２】
座台部４は、断面略長円形で、先端（一端側）に向かって幅（図３における横方向の長さ）及び厚み（図２における横方向の長さ）が小さくなった形状としている。図２に示したように、突起５が設けられた座台部４の上面側は、一端側（図２における上端側）から他端側（図２における下端側）に至るほぼ全長にわたって平面状であるが、下面側は、他端側から一端側に向かって上面側にゆるやかに傾斜しつつ、一端部付近では少しきつくカーブしている。
【００２３】
座台部４は、全長３０ｍｍ程度、最大部分の幅が１３ｍｍ程度、厚みが７ｍｍ程度で、他端側から内部に全長の半分程度の位置に至る穴６を形成しており、この穴６に持ち手１の一端側の挿入部３を挿入することにより、ブラシ部２が持ち手１に着脱自在に取り付けられるようになっている。
【００２４】
前記穴６は、持ち手１の挿入部３と略同一の形状であり、挿入部３がほぼ隙間なく嵌合するようになっている。そして、穴６の他端側の開口部の幅が、内部における穴６の最大幅より小さくなっている
座台部４の上面側に形成された多数の突起５は、先端部が丸みを帯びており、長さ４ｍｍ程度、根元付近の直径が１．２ｍｍ程度で先端に向かってやや小径となるものとしている。突起５は、ブラシ部２の長尺方向に適宜間隔を有して５列程度に設けられている。また、各列の突起５は、側面視において、隣り合う列における突起５，５間の中間に位置するようにずれて配置されている。
【００２５】
このマスカラ除去具によりまつ毛に付着したマスカラを除去する際には、クレンジング剤を使用するとよい。クレンジング剤をまつ毛になじませ、図５、図６に示したように、スポンジやコットン等の吸収体７をまつ毛の際に沿わせ、マスカラ除去具のブラシ部２の突起５でまつ毛をとかすようにしてマスカラを前記吸収体７に移すように除去する。そうすることによりマスカラの色素や、マスカラ繊維などの汚れが肌につかなくてよい。
【００２６】
なお、ジェル状のクレンジング剤を使用する場合は、前記吸収体７を使用する必要はなく、クレンジング剤を直接まつ毛に塗布し、このマスカラ除去具によりマスカラを除去することができる。
【００２７】
このマスカラ除去具は、ブラシ部２の突起５でまつ毛を梳かすようにして使用することができるので、まつ毛の間にブラシ部２の突起５を入れ、細部まで十分にマスカラを除去することができる。そのため、従来は困難であった、まつ毛を長く見せるための繊維が含まれたマスカラやウォータープルーフタイプのマスカラの除去も容易である。
【００２８】
ブラシ部２は、柔軟性があるため、まつ毛にダメージを与えることなくマスカラを除去することができる。また、シリコンエラストマー（シリコンゴム）等の柔軟性及び弾力性のある素材からなるものとすることにより、使用時において適度にしなるとともに、肌触りがソフトになり、極めて使用感の優れたものとすることができる。
【００２９】
また、ブラシ部２は先端の厚みが薄くなっているので、このブラシ部２で目尻にたまったアイライナーの色素などを拭うことも可能である。
【００３０】
ブラシ部２は、持ち手１に着脱自在に取り付けられているので、ブラシ部２を交換することが可能で、古くなったものを新しいものに取り替えたり、硬度や突起５の長さ、形状等が異なるものに取り替えて使用したりすることもできる。
【００３１】
ブラシ部２は、前記穴６に持ち手１の挿入部３が嵌合して持ち手１にしっかりと保持される。また、ブラシ部２は、挿入部３が挿入された他端側寄りの部分がしっかりと保形されるとともに、挿入部３が届かない一端側寄りの部分は高い柔軟性を有しており、使用時においてブラシ部２が全体として適度にしなってマスカラの除去に役立つようになっている。
【００３２】
また、前記穴６の他端側の開口部の幅が、内部における穴６の最大幅より小さいことにより、持ち手１の挿入部３が前記穴６から簡単に抜けないようになっており、ブラシ部２の紛失が防止される。
【００３３】
さらに、ブラシ部２には、突起５を設けた反対側の面に、図７に示したような複数の波形や、図８に示したような小円状のマッサージ用突起８を設けたり、あるいは、図９に示したような前記突起５より短いマッサージ用突起８を設けたりして、こめかみ等顔面をマッサージする際に利用できるようにしてもよい。
【００３４】
また、ブラシ部２は、図１０に示したように、円柱状の座台部４の周面の全体に多数の突起５を設けたロール状のものとすることができる。このロール状のブラシ部２を設けたマスカラ除去具は、もち手１を回転させると、突起５が回転しながら次々にまつ毛と接触するので、効率よくマスカラを除去することができる。
【００３５】
なお、前述の実施形態では、ブラシ部２の他端側の穴６に持ち手１の一端側を挿入することにより、ブラシ部２が持ち手１に着脱自在に取り付けられるようになっているが、図１１のように、ブラシ部２の他端側に挿入部９を形成し、この挿入部３を持ち手１の一端側に形成した穴１０に挿入することにより、ブラシ部２が持ち手１に着脱自在に取り付けられるようにしてもよい。この場合は、使用時においてブラシ部２が適度にしなるように、ブラシ部２の素材の硬度を比較的硬めにすることが望ましい。
【００３６】
ブラシ部２は、図１２に示したように、断面略半円形とした座台部４の周面に多数の突起５を設けた形状とし、もち手１の一端側に嵌合させて取り付けられるようにすることもできる。その他、持ち手１やブラシ部２の形状、サイズは、前述のものに限定されず、適宜変更して実施することが可能である。
【図面の簡単な説明】
【００３７】
【図１】この考案の実施形態のマスカラ除去具の斜視図である。
【図２】この考案の実施形態のマスカラ除去具の右側面図である。
【図３】この考案の実施形態のマスカラ除去具の底面図である。
【図４】この考案の実施形態のマスカラ除去具のブラシ部を取り外した状態の斜視図である。
【図５】この考案の実施形態のマスカラ除去具の使用状態の説明図である。
【図６】この考案の実施形態のマスカラ除去具の使用状態の説明図である。
【図７】この考案の他の実施形態のマスカラ除去具のブラシ部で、波形のマッサージ用突起を設けた場合の底面図である。
【図８】この考案の他の実施形態のマスカラ除去具のブラシ部で、小円状のマッサージ用突起を設けた場合の底面図である。
【図９】この考案の他の実施形態のマスカラ除去具のブラシ部で、短いマッサージ用突起を設けた場合の右側面図である。
【図１０】この考案の他の実施形態のマスカラ除去具で、ブラシ部をロール状とした場合の正面図である。
【図１１】この考案の他の実施形態のマスカラ除去具で、もち手の一端側に穴を形成し、ブラシ部の他端側に挿入部を形成した場合の正面図である。
【図１２】この考案の他の実施形態のマスカラ除去具で、ブラシ部を断面略半円形とした座台部の周面に多数の突起を設けた形状とした場合の正面図である。
【符号の説明】
【００３８】
１  持ち手
２  ブラシ部
３  挿入部
４  座台部
５  突起
６  穴
８  マッサージ用突起
【図１】
0003114890.tif 000003
【図２】
0003114890.tif 000004
【図３】
0003114890.tif 000005
【図４】
0003114890.tif 000006
【図５】
0003114890.tif 000007
【図６】
0003114890.tif 000008
【図７】
0003114890.tif 000009
【図８】
0003114890.tif 000010
【図９】
0003114890.tif 000011
【図１０】
0003114890.tif 000012
【図１１】
0003114890.tif 000013
【図１２】
0003114890.tif 000014